(57)【要約】【課題】ユーザーが建物の扉の取付け場所を考慮し、プッシュ・プル仕様と、片面的仕様（プル仕様、又はプッシュ仕様）とを、自由に選択することができること。【解決手段】解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱の前板に、突出後端部８ｂと前記同調部材３９とが摺嵌及び非摺嵌関係になるように規制部材８を設け、前記前板側から該規制部材を所定量回動すると、前記同調部材の前進が阻止され、本来的なプッシュ・プル仕様からプル仕様というような片面的仕様態様に切り替わることを特徴とするプッシュ・プル錠。【選択図】  図１
2004225384.tif 000002
【特許請求の範囲】
【請求項１】
解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱の前板に、突出後端部８ｂと前記同調部材３９とが摺嵌及び非摺嵌関係になるように規制部材８を設け、前記前板側から該規制部材を所定量回動すると、前記同調部材の前進が阻止され、本来的なプッシュ・プル仕様からプル仕様というような片面的仕様態様に切り替わることを特徴とするプッシュ・プル錠。
【請求項２】
請求項１に於いて、規制部材８は、先端部にドライバー用の溝１０を有する回動ボタンであることを特徴とするプッシュ・プル錠。
【請求項３】
請求項１に於いて、可動枠部材３２は、可動枠部材３２に組み込まれた内装ばね４８のバネ力により係合方向に常時付勢され、かつ、可動枠部材３２を案内するラッチロッドの後端部側の大径部３３ａと係合する可動ストッパ３８により規制されることを特徴とするプッシュ・プル錠。
【請求項４】
請求項１に於いて、ラッチロッド３３に案内される可動枠部材３２と、前記ラッチロッド３３の先端部に連結されたラッチ支持ブロック３４と、このラッチ支持ブロック３４の案内部３４ｂに貫通状態に嵌合するロックピンと、ラッチ支持ブロック３４の軸受け部３４ｃに軸支されたラッチ３５は、ラッチユニットとして一体的に構成されていることを特徴とするプッシュ・プル錠。
【請求項５】
請求項１に於いて、前板に形成されたラッチ窓９には、環状のラッチ支持座４９が嵌め込まれていることを特徴とするプッシュ・プル錠。
【請求項６】
解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱６Ａに、前記同調部材３９が前板７Ａ側に直接又は間接的に移動しないように取り外し可能に規制部材８Ａを設け、錠箱に該規制部材８Ａを固定すると同調部材３９の前進を阻止し、本来的なプッシュ・プル仕様からプル仕様というような片面的仕様態様に切り替わることを特徴とするプッシュ・プル錠。
【請求項７】
解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱６Ｂの前板７Ｂに、突出後端部８ｂと付勢手段４０Ｂの前板側可動ブロック４０ａとが摺嵌及び非摺嵌関係になるように規制部材８Ｂを設け、前記前板側から該規制部材８Ｂを所定量回動すると前記同調部材の前進が前板側可動ブロック４０ａを介して阻止され、本来的なプッシュ・プル仕様からプル仕様というような片面的仕様態様に切り替わることを特徴とするプッシュ・プル錠。
【請求項８】
解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱に裏面に設けられた突出規制部８Ｃが同調部材３９或いは前板側可動ブロック４０ａと対面するように前板７Ｃを固定すると、前板７Ｃが同調部材３９の前進を直接又は間接的に阻止して本来的なプッシュ・プル仕様からプル仕様というような片面的仕様態様に切り替わり、一方、前板７Ｃの突出規制部８Ｃが同調部材３９或いは前板側可動ブロック４０ａと対面しないように該前板７Ｃを逆様状態にして錠箱６Ｃに固定すると、片面的仕様態様からプッシュ・プル仕様からプル仕様に切り替わることを特徴とするプッシュ・プル錠。
【請求項９】
解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、錠箱にハンドル支持座５２、縦軸５３を介して該ハンドル支持座に軸支された揺動片５１を有する取付け座ユニットＵＮを装着し、該取付け座ユニットＵＮに固定具６０を介して規制片６１を固定すると、解錠用ハンドル５０がプッシュ側に動かないために前記同調部材３９の前進が間接的に阻止されて本来的なプッシュ・プル仕様からプル仕様というような片面的仕様態様に切り替わり、一方、規制片６１を取付け座ユニットＵＮから取り外すと、片面的仕様態様からプッシュ・プル仕様からプル仕様に切り替わることを特徴とするプッシュ・プル錠。
【請求項１０】
請求項９に於いて、規制片６１は、ハンドル支持座５２のビス孔６２の周りに形成された凹所６４に嵌合する貫通小孔部６５と、この貫通小孔部６５に連設する縦長状の規制突起部６６とを有することを特徴とするプッシュ・プル錠。
【発明の詳細な説明】
【０００１】
【発明の属する技術分野】
本発明は、プシュ・プル錠に関し、特に扉の閉戸時に内外の解錠用ハンドルをプル又はプッシュすると、ラッチ用の仮施錠片（ばねに付勢されている可動ストッパ）が、ラッチ用の仮施錠の解錠機構により、係合解除の方向へ作動するプシュ・プル錠に関する。
【０００２】
【従来の技術】
従来の技術としては、特開２００２−１２９７９６号公報を挙げることができる。この公報には、扉の施錠に用いられるラッチ錠の一実施例（請求項４，請求項５に記載の発明）が記載されている。この実施例の内外の解錠用レバーハンドルは、それぞれ扉の内外の壁面に対してプッシュ（押す）又はプル（引く）の操作が可能である。
【０００３】
そこで、便宜上、該公報に記載されている用語と符号を用いて、該ラッチ錠の錠箱に組み込まれる基本的な部材について説明する。
【０００４】
ケーシング（錠箱）３１内には、例えばプッシュ及びプルの操作が可能な解錠用の内側ハンドルを操作すると、該ハンドル側の揺動片の駆動力によって左右（フロント側又はケースの後壁側）にそれぞれ水平移動する同調部材３９（枠状摺動部材）と、この同調部材３９が水平動すると、該同調部材の上方に配設された板状係合保持部材４１を介して係合解除の方向（上方方向）に内装ばね４８のバネ力に抗して持ち上げられる可動ストッパ３８と、該可動ストッパ３８によって規制が解消され、かつ、反転式のラッチ３５の回動に伴い、後方配設のばね部材３７のバネ力に抗して錠箱６の後壁側へラッチロッド３３を介して後退する枠状可動枠部材３２とが組み込まれている。
【０００５】
前記ラッチ３２の仮施錠時（可動ストッパ３８が上方の内装バネ４８のバネ力により下方に下降している場合）に於いて、同調部材３９は、錠箱６の下部に左右対称に配設された付勢手段４０，４０の付勢ばねのバネ力により、可動枠部材３２に間接的に係合する中立位置へと自動的に復帰する。この時、前記可動ストッパ３８は下降しており、係合保持部材４１の先端係合部は、逆コ字型状の同調部材３９の上壁面に形成された凹所状の被係合部に係合する。
【０００６】
上記構成に於いて、可動ストッパ３８は可動枠部材３２に設けた係止部３２３と係脱されると共に、係止部３２３と係合することにより可動枠部材３２の移動を規制してラッチ３５を仮施錠状態にロックする旨の記載がある（公報の記述）。
【０００７】
果たしてそうであるならば、仮施錠時に於いて、可動ストッパ３８は、ラッチロッドに案内される可動枠部材に係合することから、仮施錠機能が不十分である。換言すれば、可動ストッパ３８が、例えば係合保持部材４１又は／及びラッチロッド３３に係止されているならば、技術的に「可動ストッパ３８の係合機能」を理解することができるが、移動可能な部材に可動可能なストッパ部材を単に係合さるだけでは、係合関係が不十分であり、ラッチの回動を確実に阻止することができない、という問題点がある。また、この実施例では後述する本願発明の第１の目的を達成することができない。
【０００８】
【発明が解決しようとする課題】
本発明の第１の目的は、公報記述の可動ストッパの係合関係が十分か不十分かは別として、このような構成のラッチ錠に新規な構成を加味し、或いは改良し、プッシュ・プル仕様のみならず、片面的仕様（例えばプル仕様）にも変換することができること。第２の目的は、簡単な操作又は構造で、プッシュ・プル仕様から片面的仕様に、又は片面的仕様から本来的なプッシュ・プル仕様に切替えることができること。第３の目的は、扉の閉戸時、ラッチ用の仮施錠片（可動スッパ）が、ラッチロッドに係合し、ラッチの回動を確実に阻止することができること。第４の目的は、ラッチに関連する一連の部材をラッチユニットとして構成し、錠箱に簡単に組み込むことができることである。
【０００９】
【課題を解決するための手段】
本発明のプッシュ・プル錠は、解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱の前板に、突出後端部８ｂと前記同調部材３９とが摺嵌及び非摺嵌関係になるように規制部材８を設け、前記前板側から該規制部材を所定量回動すると、前記同調部材の前進が阻止され、本来的なプッシュ・プル仕様からプル仕様というような片面的仕様態様に切り替わることを特徴とする。
【００１０】
また本発明のプッシュ・プル錠は、解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱６Ａに、前記同調部材３９が前板７Ａ側に直接又は間接的に移動しないように取り外し可能に規制部材８Ａを設け、錠箱に該規制部材８Ａを固定すると同調部材３９の前進を阻止し、本来的なプッシュ・プル仕様からプル仕様というような片面的仕様態様に切り替わることを特徴とする。
【００１１】
また本発明のプッシュ・プル錠は、解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱６Ｂの前板７Ｂに、突出後端部８ｂと付勢手段４０Ｂの前板側可動ブロック４０ａとが摺嵌及び非摺嵌関係になるように規制部材８Ｂを設け、前記前板側から該規制部材８Ｂを所定量回動すると前記同調部材の前進が前板側可動ブロック４０ａを介して阻止され、本来的なプッシュ・プル仕様からプル仕様というような片面的仕様態様に切り替わることを特徴とする。
【００１２】
また本発明のプッシュ・プル錠は、解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、前記錠箱に裏面に設けられた突出規制部８Ｃが同調部材３９或いは前板側可動ブロック４０ａと対面するように前板７Ｃを固定すると、前板７Ｃが同調部材３９の前進を直接又は間接的に阻止して本来的なプッシュ・プル仕様からプル仕様というような片面的仕様態様に切り替わり、一方、前板７Ｃの突出規制部８Ｃが同調部材３９或いは前板側可動ブロック４０ａと対面しないように該前板７Ｃを逆様状態にして錠箱６Ｃに固定すると、片面的仕様態様からプッシュ・プル仕様からプル仕様に切り替わることを特徴とする。
【００１３】
さらに、本発明のプッシュ・プル錠は、解錠用ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパ、この可動ストッパを介して可動枠部材の規制を解消するラッチ用仮施錠の解錠機構を備えたプッシュ・プル錠に於いて、錠箱にハンドル支持座５２、縦軸５３を介して該ハンドル支持座に軸支された揺動片５１を有する取付け座ユニットＵＮを装着し、該取付け座ユニットＵＮに固定具６０を介して規制片６１を固定すると、解錠用ハンドル５０がプッシュ側に動かないために前記同調部材３９の前進が間接的に阻止されて本来的なプッシュ・プル仕様からプル仕様というような片面的仕様態様に切り替わり、一方、規制片６１を取付け座ユニットＵＮから取り外すと、片面的仕様態様からプッシュ・プル仕様からプル仕様に切り替わることを特徴とする。
【００１４】
【発明の実施の形態】
図１乃至図１２を参照にして本発明の第１実施例を作用と共に説明する。
【００１５】
（１）環境部材と本発明の特徴
まず、環境部材と本発明の特徴を簡単に説明する。１は寝室、トイレ、玄関等の出入口の戸枠、２はストライクを有する受け金具、３は戸枠の縁（直接的にはストライクも含まれる）、４は水平方向に回動して出入口を開閉する扉（例えば室内扉）、５は室内の扉４の戸先に設けられた錠前、本実施例ではプッシュ・プル錠５である。プッシュ・プル錠５の錠箱６には、前板７（ここではフロント又は／及び取付け前板を意味する）に対して規制部材の一例としての回動ボタン８が設けられ、該回動ボタン８を所定量回動操作すると、プッシュ・プル錠５におけるラッチの解錠態様（仮施錠状態を解錠状態にする態様）が、プッシュ・プル仕様又はプル仕様のいずれかに切り替わるようになっている。
【００１６】
（２）錠箱の構成
図２を参照にして錠箱６の構成を説明する。まず錠箱６は、ケース身６ａと、このケース身６ａの一側開口を閉鎖する矩形状のケース蓋６ｂとから成る。ケース身６ａは前板７を有する。ここで、「前板７」とは、ケース身６ａの取付け前板又は／及びフロントを意味する。取付け前板とフロントとが別体の場合には、普通一般に両者は図しない固着具を介して合体する。
【００１７】
さて、前板７の中央部には、矩形状のラッチ窓９が形成されており、本実施例では、このラッチ窓９よりも下位の部位に前述した回動ボタン８の先端部８ａが嵌合する円形の貫通孔１０が形成されている。錠箱６は、前板７と交差する幅広側壁１１、下壁１２、上壁１３、上・下壁に交差する後壁１４を有する。
そして、ケース蓋６ｂと対向する前記幅広側壁１１（ここではケース身６ａを例にして説明する。）には、錠箱６内に組み込まれる複数個の部材を案内するガイド部や揺動片が入り込む窓、枢支孔、軸取付け孔等が所要位置にそれぞれ形成されている。
【００１８】
例えば１５は下壁１２に沿うように一番下位の中央部に形成された左右１対の第１案内部（横長の開口、横長溝、横長突起など）、１６はハンドル側の揺動片５１の挟み部分５１ｂが入り込む揺動片用の窓、１７は係合保持部材（上下方向の揺動板、揺動杆など）用の枢支孔である。その他幅広側壁１１には大小の窓が形成されているが、本発明の特定要件に関係がないので割愛する。
【００１９】
（３）錠前の主な構成部材
本発明は、前述したプッシュ・プル型ラッチ錠の基本的な構造を含んでいるので、比較の意味合で可能な限り、特開２００２−１２９７９６号公報に記載の用語及び符号を用いることにする。
【００２０】
さて、錠箱（ケーシング）６内にはラッチの仮施錠・仮施錠の解錠機構を構成する幾つかの部材が組み込まれている。例えば可動枠部材３２、該可動枠部材を案内するラッチロッド３３、ラッチ用支持ブロック３４、ラッチ３５、ラッチを直接ロックするロックピン３６、可動枠部材用ばね部材３７、可動枠部材に内装ばね４８と共に組み込まれる可動ストッパ３８、ハンドル側の揺動片の駆動力によって水平方向へ摺動する枠状の同調部材３９、左右１対の同調部材用付勢手段４０，４０、板状の係合保持部材４１、合成樹脂材で形成された環状のラッチ支持座４９等を備える。なお、錠箱６内には、本発明の特定要件には関係がない本施錠用のロック部材４３や角穴付きカム４４なども備えられているが、これらについては説明を割愛する。
【００２１】
（４）ラッチ仮施錠用の主な構成部材
「可動枠部材３２」…可動枠部材３２は錠箱６内の中間箇所にラッチロッド３３を介して水平動可能に配設されている。つまり、可動枠部材３２はラッチロッド３３に案内されて水平方向に進退動可能である。図３で示すように、可動枠部材３２は、本実施例では玩具のブロック状に形成されている。
図３を基準にして可動枠部材３２とこれに関連するラッチロッド３３とを説明する。３２ａは可動ストッパ３８を内装する直方体或いは立方体状の空洞を有する収納部で、この収納部３２ａの後壁部にはラッチロッド３３の後端部側の大径部３３ａを案内する一つの水平案内貫通孔３２ｂが形成されている。
【００２２】
３２ｃは収納部３２ａの前壁部からブロック状に突出する受部で、この受部３２ｃの前面は後述するピン状のラッチロック部材３６の後端面と当接する。この受部３２ｃにはラッチロッド３３の先端部側の小径部３３ｂを案内する他の水平案内貫通孔３２ｄが形成されている。二個の水平案内貫通孔３２ｂ，３２ｄは同軸線上に位置している。前記収納部３２ａの下壁部の内壁面ないし両端面は、下向きコ字型形状可動ストッパ３８を案内する機能を有している。
【００２３】
「ラッチロッド３３」…ラッチロッド３３は可動枠部材３２の前後の水平案内貫通孔３２ｂ，３２ｄに水平状態に挿通され、かつ、軸回りに回動可能である。ラッチロッド３３は、本実施例では、仮施錠時、ラッチの後退を確実に阻止することができるように可動ストッパ３８と係合する。つまり、ラッチ３５の水平回動に追従してラッチロックピン３６が後退し、該ラッチロックピンに押される可動枠部材３２の後退を可動ストッパ３８との係合関係により仮施錠状態を確実なものとする。この点、従来の公報記載のラッチ錠と相違する。
【００２４】
「ラッチ用支持ブロック３４」…図４で示すように、ラッチ用支持ブロック３４は、可動枠部材３２の前方の水平案内貫通孔３２ｄを貫通したラッチロッド３３の小径先端部に固定的に設けられている。つまり、支持ブロック３４とラッチロッド３３は一定的に結合している。
【００２５】
しかして、ラッチ支持ブロック３４は、可動枠部材３２の受部３２ｃの前面と対向する円板状のロッド連結部３４ａと、このロッド連結部３４ａの前面に半径方向に突出形成されたラッチロック部材の一例としてのロックピン３６を案内する案内部３４ｂと、この案内部３４ｂに指先状に突出形成されたラッチ軸受け部３４ｃとを有する。
【００２６】
前記案内部３４ｂにはロックピン３６が貫通状態に嵌挿される。また前記軸受け部３４ｃには、ラッチ３５が垂直の枢支ピン４７を介して枢着される。
ラッチ３５…ラッチ３５の種類は問わない。ラッチには、回動しながら後退するもの、単に後退するもの、ラッチロッドを一体的に有するものなど色々ある。本実施例のラッチは、所定量回動（ここでは所定量回る意味合い）する。
【００２７】
さて、ラッチ３５は矩形状の開口を有するラッチ支持座４９に貫通状態に嵌め込まれる。この点公報記載のラッチ錠とは相違する。ラッチ支持座４９を設けることにより、ラッチ３５を安定的に支持することができる。またラッチ３５は、ラッチ錠箱６の前板７のラッチ窓から外方へ突出し、枢支ピン４７を介してラッチ支持ブロック３４に連結されている。ラッチ３５の先端部３５ａに連設する対向壁状後端部３５ｂ，３５ｂは、それぞれ外壁面に小突起状のラッチ保持部４２，４２を有している。また対向壁状後端部３５ｂ，３５ｂの間は、ラッチ支持ブロック３４の軸受け部３４ｃが入り込む収納空間３５ｃとなっている。本実施例では、この収納空間３５ｃを形成する垂直縁部３５ｄの一部にロックピン３６の先端面３６ａが当接する。
【００２８】
「ロックピン３６」…前述したように、ロックピン３６の後端面３６ｂは可動枠部材３２の受部３２ｃの前面に当接する。換言すると、ラッチロック部材３６は軸受け部材の一例としての支持ブロック３４にラッチロッド３３の軸線方向に移動可能に組み付けられると共に、ラッチロック部材３６の前端縁はラッチ３５の後端縁に当接され、ラッチ３５を反転不能な施錠位置にロックできる構成になっている。
【００２９】
「各部材の一体的構成」…本実施例では、図５及び図６で示すように、ラッチ３５と、ラッチ３５を枢支するラッチ支持ブロック３４と、このラッチ支持ブロック３４に連結されたラッチロッド３３と、このラッチロッド３３にスライド自在に設けられた可動枠部材３２は、一つのラッチユニットとして一体的に構成されている。したがって、錠箱６に対する組み込みが容易である。
【００３０】
「ばね部材３７」…可動枠部材３２を直接付勢するばね部材３７は、ラッチ３５が施錠位置に保持される方向に可動枠部材３２及びラッチロック部材３６を常時付勢する。したがって、ばね部材３７はラッチバネとしての機能を有し、その先端部はラッチロッド３３の後端部に巻装されていると共に、可動枠部材３２の収納部３２ａの後壁外壁面に圧接し、一方、他端部はケース身６ａの後壁１４の内壁面に圧接している。
【００３１】
「可動ストッパ３８」…可動ストッパ３８は、金属板材をコ字状に折り曲げ加工することにより構成されている。可動ストッパ３８は、可動枠部材３２の収納部３２ａ内にラッチロッド３３を跨ぐように内装され、かつ、収納部３２ａの内壁面等に昇降自在に案内される。
【００３２】
図７を参照して可動ストッパ３８が仮施錠片の一例である理由について説明する。本実施例では、可動ストッパ３８は、可動枠部材３２の収納部３２ａ内に組み込まれた内装ばね４８により、ラッチロッド３３の後端部側大径部３３ａの内面と係合するように常時係合（下方）方向に付勢されている。
【００３３】
図７の一方は、可動ストッパ３８が内装ばね４８のバネ力に抗してスライド上昇し、ラッチロッド３３の後端部側大径部３３ａのフランジ状内面から離れ、いわゆる仮施錠（係合）を解除した状態の概略図である。この場合に於いて、ラッチ３５が回動することにより、ロックピン３６が矢印Ａ方向（ケース身の後壁方向）へ移動すると、可動枠部材３２は、いわば障害物がないので、ラッチロッド３３に案内されながら矢印Ａ方向に移動する。
【００３４】
一方、図７の他方は、可動ストッパ３８が内装ばね４８のバネ力によりスライド下降し、ラッチロッド３３の後端部側大径部３３ａの内面に入り込み、いわゆる仮施錠（係合）になった状態の概略図である。この時、可動枠部材３２は、ロックピン３６により矢印Ａ方向（ケース身の後壁方向）へ押されても、可動ストッパ３８が障害物になるので、可動枠部材３２は、ラッチロッド３３に案内されて矢印Ａ方向に移動することができない。
【００３５】
したがって、ラッチ３５も回動することができない。それ故に、可動ストッパ３８は、可動枠部材３２の移動を規制してラッチ３５を仮施錠状態にロックするものであるから、いわゆる仮施錠片に相当する。
【００３６】
（５）ラッチ仮施錠の解錠機構の主な構成部材
ここで、内・外の解錠用ハンドル５０について説明する。内・外の解錠用ハンドル５０は、図８で示すように揺動片５１の外端部の各軸部５１ａに固定的に取り付けられている（ここでは説明の便宜上、一方の解錠用ハンドル、揺動片等を示す）。揺動片５１の内端部５１ｂは挟み状に突出形成され、該内端部５１ｂが、図９の矢印で示すように同調部材３９の係合柱３９ａに係合する。
【００３７】
「揺動片５１」…揺動片５１は扉１の室内側と室外側にそれぞれ取り付けられたハンドル支持座５２を介し、かつ、錠箱６の揺動片用の窓１６からその内端部５１ｂが突出するように配設される。揺動片５１はハンドル支持座５２に固定された縦軸５３を介して左右に揺動可能である。
【００３８】
したがって、解錠用ハンドル５０を図８の矢印で示すようにプッシュ（例えば室外側からは押す）又はプル（例えば室内側から引く）方向にそれぞれ操作すると、揺動片５１は左右に揺動する。
【００３９】
「同調部材３９」…枠状の同調部材３９は、操作部材としての解錠用ハンドル５０をプッシュまたはプル操作すると、解錠用ハンドル側の揺動片５１の駆動力により、かつ、付勢部材４０の付勢力に抗して水平移動する。
【００４０】
その結果、前述した可動ストッパ３８は、板状の係合保持部材４１を介し、かつ、内装ばね４８のバネ力に抗して上昇するので、ラッチロッド３３は可動ストッパ３８の規制から解放（係合解除）される。本実施例の同調部材３９は、横長の端面逆コ字型に形成されているが、ガイド機能、係合機能等を付与するために、中央部の垂直壁３９ｂに交差する上壁３９ｃと下壁３９ｄは、錠箱６の後壁１４付近まで延びている。
【００４１】
ところで、前記垂直壁３９ｂには、嵌合部（縦長孔、切欠など）５５が形成され、該嵌合部５５には、図１０で示す規制部材（例えば回動ボタン）８の大径状のストッパ部１８に連設する突状後端部８ｂが、その回動位置如何によって嵌入する。また前記下壁３９ｄには付勢手段用の受片３９ｅが下方に突出している。「付勢手段４０，４０」…付勢手段４０は、可動ストッパ３８が、ラッチロッド３３の大径部３３ａの内面（係合部）に係止される中立位置に自動的に復帰できるように同調部材３９を付勢する。
【００４２】
しかして、付勢手段４０，４０は、錠箱６の第１案内部１５，１５にそれぞれ案内され、かつ、同調部材３９の受片３９ｅを基準とした左右一対の可動ブロック４０ａ，４０ａと、これらの可動ブロック４０ａ，４０ａを前記受片３９ｅに圧接させる方向にそれぞれ付勢する左右１対のばね４０ｂ，４０ｂとから構成されている。
【００４３】
「係合保持部材４１」…板状の係合保持部材４１は、一端部は錠箱６に可動ストッパ３８の移動方向に揺動可能に支持され、その揺端部には可動ストッパ３８の下端部と当接する筒状の係合保持部４１ａが形成されている。
【００４４】
この係合保持部材４１は、揺動片５１の駆動力により、同調部材３９が付勢手段４０の付勢力に抗して左又は右に移動すると、錠箱６の枢支孔１７を支点に係合保持部４１ａが上方方向に上がり、これにより可動ストッパ３８が上昇し、ラッチロッド３３に対する可動ストッパ３８の係合関係が解消する（係止解除）。
【００４５】
一方、同調部材３９が付勢手段４０により中立位置に復帰すると、同調部材３９の上壁３９ｃに形成した係合凹所６６に前記係合保持部４１ａが係合し、その結果、可動ストッパ３８が下降し、ラッチロッド３３に係合する。
【００４６】
したがって、この実施例では解錠用ハンドル５０をプッシュまたはプル操作すると、同調部材３９の水平移動、係合保持部材４１の上下方向への揺動、これに連動する可動ストッパ３８の移動を介して可動枠部材３２等を仮施錠または仮施錠の状態を解錠状態にすることができる。
【００４７】
上記構成に於いて、錠箱６の前板７の手前から図示しないドライバーの先を回動ボタン８の突出先端部８ａの溝１９に差し込み、回動ボタン８を所定量回動操作すると、同調部材３９の一方が規制又は規制解除されるので、錠前５の態様が、プッシュ・プル仕様又はプル仕様（又はプッシュ仕様）のいずれかに切り替わる。
【００４８】
まず、図１１は回動ボタン８の溝１９が縦の状態の場合である。この縦状態の場合は回動ボタン８の縦長状の突出後端部８ｂも縦の状態である。つまり、同調部材３９が錠箱６の前板７に向かって移動することができるよう該突出後端部８ｂと同調部材３９とが滑り対偶（摺嵌関係）となっている。
【００４９】
したがって、同調部材３９は揺動片５１の駆動力により前板７方向へ移動可能であるから、解錠用ハンドル５０をプッシュ（押す操作）することができる。それ故に、プッシュ・プル錠５が図１１の態様の場合、当該解錠用ハンドル（内外の解錠用ハンドル如何を問わない）を「プル（引く操作）」又は「プッシュ（押す操作）」することができる。この場合プッシュ・プル錠５は、本来的意味でのプッシュ・プル仕様である。
【００５０】
このように解錠用ハンドルを手にした当該解錠用ハンドルを「プル」又は「プッシュ」すると、同調部材３９は左右いずれにでも移動し、その結果、ラッチ用の仮施錠片３８は係止解除（解錠）方向へ移動する。
【００５１】
次に、図１２は回動ボタン８の溝１９が横の状態の場合である。この横状態の場合は回動ボタン８の後端部８ｂも横の状態である。つまり、同調部材３９が錠箱６の前板７に向かって移動することができないよう該突状後端部８ｂと同調部材３９とが非滑り対偶（非摺嵌関係）となっている。
【００５２】
したがって、同調部材３９は揺動片５１の駆動力により前板７方向へ移動不可能であるから、解錠用ハンドル５０をプッシュ（押す操作）することができない。それ故に、プッシュ・プル錠５は、図１２の態様の場合、当該解錠用ハンドルを「プッシュ」ことができないから、プル仕様のみということになる。
【００５３】
このように第１実施例のプッシュ・プル錠５は、ドライバーで回動ボタン８を回動操作するだけで、簡単にプッシュ・プル仕様から片面的仕様（例えばプル仕様）に変換することができる。もちろん、その逆も同様である。
【００５４】
【実施例】
まず第１実施例に於いて、回動ボタン８の突出後端部８ｂの形状は、縦長状以外に楕円形状、菱形形状など自由に設計変更可能である。また、回動ボタン８の突出後端部８ｂに回動ボタン用の支持バネ２０を巻装しても良い。
【００５５】
次にこの欄では、本実施の形態（第１実施例）と異なる実施例について説明する。なお、各実施例は、発明の主たる目的が同一なので、各実施例の説明にあたって、第１実施例と同一又は同様（機能が同一）の部分には、同一又は同様の符号を付し、重複する説明を省略する。
【００５６】
図１３に示す第２実施例に於いて、前記第１実施例と主に異なる点は、同調部材３９の前進（前板側、左側）を阻止する規制部材８Ａを錠箱６Ａに抜き差し可能に固定したことである。
【００５７】
すなわち、第２実施例のプッシュ・プル錠５Ａは、錠箱６Ａのケース身６ａ（その前板７Ａ又は／及び幅広側壁１１Ａ）又はケース蓋６ｂの前板寄りの部位に複数個の取付け孔１０Ａ，１０Ａを形成し、少なくとも取付け孔１０Ａの一つを介して錠箱６Ａに、同調部材３９が前板７Ａ側に移動しないように取り外し可能に規制部材８Ａを設けてある。
【００５８】
したがって、前板７Ａ、或いは幅広側壁１１Ａ、或いはまたケース蓋６ｂに規制部材８Ａを固定すると、同調部材３９の前進が阻止されるため、本来的なプッシュ・プル仕様からプル仕様というような片面的仕様態様に切り替わる。規制部材８Ａの一例としては固定具（例えばネジ）が用いられている。
それ故に、例えば規制部材８Ａをメネジ１０Ａに差し込んで前板７Ａに固定すると「プル操作のみ」となり、一方、規制部材８Ａを前板７Ａから抜き取ると「プッシュ操作も可能」となる。規制部材８Ａは棒状体、板状体、ブロック状などでも良く、その形態をネジに限定するものではない。
【００５９】
なお、第２実施例では規制部材８Ａで同調部材３９の前進を直接阻止しているが、後述する第３実施例のように「同調部材３９の前進を間接的に阻止」するために、例えば螺杆、ピン等の棒状体を前板７Ａの最下部に抜き取の可能に設け、付勢手段４０Ａの前板側可動ブロック４０ａの移動を阻止しても良い（このように構成を置換した場合も当然均等の範囲である）。
【００６０】
図１４及び図１５に示す第３実施例に於いて、前記第１実施例と主に異なる点は、第１実施例と同様の構成を採用し、同調部材３９の前進を間接的に阻止したことである（これも構成を置換した例である）。
【００６１】
すなわち、第１実施例では、回動ボタン８で直接的に同調部材３９の前進を阻止しているが、この第３実施例のプッシュ・プル錠５Ｂでは、錠箱６Ｂの前板７Ｂの最下部に、突出後端部８ｂと付勢手段４０Ｂの前板側可動ブロック４０ａとが摺嵌及び非摺嵌関係になるように回動ボタン８Ｂを支持貫通孔１０Ｂに取付け、前記前板側から該回動ボタン８Ｂを所定量回動すると、前記同調部材３９の前進が前板側可動ブロック４０ａを介して阻止され、本来的なプッシュ・プル仕様からプル仕様というような片面的仕様態様に切り替わる。
【００６２】
符号５５Ｂは前板側可動ブロック４０ａの垂直壁に形成した嵌合部（例えば縦長孔）である。また前板側可動ブロック４０ａを付勢するばね４０ｂは不要なので抜き取ってある。
【００６３】
図１６乃至図１８に示す第４実施例に於いて、前記第１実施例と主に異なる点は、前板８Ｃに突起部（ブロック状、棒状、板状などの規制用突起）を一体的に設け、同調部材３９の前進を間接的に阻止したことである（これも構成を置換した例である）。
【００６４】
なお、前板７Ｃの裏面に突出形成した突出規制部８Ｃは、同調部材３９に対面するようにしてあるが、もちろん、前板側可動ブロック４０ａと対面するようにして良い。
【００６５】
しかして、第４実施例のプッシュ・プル錠５Ｃは、錠箱６Ｃに、同調部材３９が前板７Ｃ側に移動しないように突出規制部８Ｃを有する前板７Ｃを取付け、錠箱に前記突出規制部８Ｃが同調部材３９或いは前板側可動ブロック４０ａと対面するように前板７Ｃを固定すると、前板７Ｃが同調部材３９の前進を直接又は間接的に阻止し、本来的なプッシュ・プル仕様からプル仕様というような片面的仕様態様に切り替わり、一方、前板７Ｃを逆様にして錠箱６Ｃに固定すると、片面的仕様態様からプッシュ・プル仕様からプル仕様に変換する。
【００６６】
図１９乃至図２１に示す第５実施例に於いて、前記第１実施例と主に異なる点は、錠箱ではなく、扉４の壁面に固定される取付け座ユニットＵＮに規制片６１を設けたことである。
【００６７】
すなわち、錠箱６に扉４を介してハンドル支持座５２、縦軸５３を介して該ハンドル支持座５２に軸支された揺動片５１を有する取付け座ユニットＵＮを装着し、該取付け座ユニットＵＮに固定具６０を介して規制片６１を固定すると、解錠用ハンドル５０がプッシュ側に動かないために、前記同調部材３９の前進が間接的に阻止されて本来的なプッシュ・プル仕様からプル仕様というような片面的仕様態様に切り替わり、一方、規制片６１を取付け座ユニットＵＮから取り外すと、片面的仕様態様からプッシュ・プル仕様からプル仕様に変換する。
【００６８】
この考え方は、揺動片５１の外端部（角軸）５１ａが縦軸５３を支点に左右に自由に動く構造になっている場合に於いて、ある部品を解錠用ハンドルの動きを規制するハンドル支持座５２又はハンドルの軸部に取り付けることにより、例えば前記外端部（角軸）５１ａが扉４の吊元側には動かないようにすれば、プッシュ操作は殺され、プル操作のみが可能になるという発想であるが、同調部材の前進を間接的に阻止する点で、第１実施例の主たる目的と同一である。
【００６９】
ところで、この実施例では、ハンドル支持座５２の一例として左右に取付けビス孔６２，６２を有する丸座を用いている。ビス孔６２，６２の周りには規制片６１用の凹所６４が適宜に形成され、一つのビス孔６２に符合する貫通小孔部６５と、この貫通小孔部６５に連設する縦長状の規制突起部６６とを有する規制片６１が該凹所６４に固着具６０を介して固定的に装着される。なお、ハンドル支持座５２の中心部には角軸孔６３が形成されている。また本発明は、プッシュ・プル仕様とプル仕様との変換例を中心に説明したが、当業者の立場からすれば、をプッシュ・プル仕様とプッシュ仕様との相互変換に変更することは均等の範囲である。
【００７０】
【発明の効果】
以上の説明から明らかなように、本発明にあっては、次に列挙するような効果がある。
（１）ユーザーが建物の扉の取付け場所を考慮し、プッシュ・プル仕様と、片面的仕様（プル仕様、又はプッシュ仕様）とを、自由に選択することができる。
（２）上記（１）に於いて、第１実施例の場合には、錠箱の前板から見える規制部材を所定量回動するだけの操作で、例えばプッシュ・プル仕様から片面的仕様に、又は片面的仕様から本来的なプッシュ・プル仕様に切替えることができる。第２実施例〜第５実施例も規制部材、或いは突出規制部、或いは規制片を適宜に設けることにより、第１実施例と同様の目的を達成することができる。
（３）扉の閉戸時、ラッチ用の仮施錠片としての可動スッパが、ラッチロッドに係止状態に係合するので、可動枠部材〜ラッチの移動を確実に阻止することができる。
（４）ラッチ３５、ラッチ支持ブロック３４、ラッチロッド３３、可動枠部材３２が一体的に構成されているので、錠箱６に対する組み込みが容易である。
【図面の簡単な説明】
図１乃至図１２は本発明の第１実施例を示す各概略説明図。図１３は本発明の第２実施例を示す説明図。図１４及び図１５は本発明の第３実施例を示す各概略説明図。図１６乃至図１８は本発明の第４実施例を示す各概略説明図。図１９乃至図２１は本発明の第５実施例を示す各概略説明図。
【図１】蓋板の一部、関係のない部材等を省略した内部構造を示す概略説明図。
【図２】蓋板の一部、関係のない部材等を省略した錠箱の概略説明図。
【図３】可動枠部材とロッドとの関係を示す分解斜視図。
【図４】ラッチ、ロックピン、支持ブロック、ロッド、可動枠部材等の概略説明図。
【図５】ラッチユニット（ラッチ、ロックピン、支持ブロック等）の概略説明図。
【図６】図５の６−６線概略断面図。
【図７】可動枠部材と可動ストッパとロッドとの係合関係を示す概略説明図。
【図８】取付け座ユニットの斜視図。
【図９】同調部材と取付け座ユニットの揺動片との関係を示す説明図。
【図１０】規制部材の一例を示す説明図。
【図１１】プッシュ操作が可能な場合の概略説明図。
【図１２】規制部材（回動ボタン）を回動し、錠前の仕様態様を変換した場合（プッシュ不可）の概略説明図。
【図１３】第２実施例を示す図１と同様の概略説明図。
【図１４】第３実施例を示す図１と同様の概略説明図。
【図１５】規制部材（回動ボタン）と規制される部材との関係を示す斜視図。
【図１６】第４実施例を示す図１と同様の概略説明図。
【図１７】前板の正面図。
【図１８】図１７の１８−１８断面図。
【図１９】取付け座ユニットを上方から見た概略説明図。
【図２０】取付け座ユニットを正面から見た概略説明図。
【図２１】取付け座ユニットの概略断面説明図。
【符号の説明】
１…戸枠、２…受け金具、３…縁、４…扉、５Ａ，５Ｂ，５Ｃ…錠前（プッシュ・プル錠）、６，６Ａ，６Ｂ，６Ｃ…錠箱、６ａ…ケース身、６ｂ…ケース蓋、７，７Ａ，７Ｂ，７Ｃ…前板、８，８Ａ，８Ｂ，８Ｃ…規制部材（回動ボタン、突出規制部等）、８ａ…先端部、８ｂ…突出後端部、１８…ストッパ部、１９…溝、９…ラッチ窓、１０，１０Ａ…貫通孔、１１，１１Ａ…幅広側壁、２０…支持バネ、３２…可動枠部材、３２ａ…収納部、３２ｂ，３２ｄ…水平案内貫通孔、３２ｃ…受部、３３…ラッチロッド、３３ａ…大径部、３３ｂ…小径部、３４…支持ブロック、３４ａ…ロッド連結部、３４ｂ…案内部、３４ｃ…ラッチ軸受け部、３５…ラッチ、３５ａ…先端部、３５ｂ…後端部、３５ｃ…収納空間、３５ｄ…垂直縁部、３６…ラッチロック部材、３７…可動枠部材用ばね部材、３８…可動ストッパ、３９…同調部材、３９ａ…係合柱、３９ｂ…垂直壁、３９ｃ…上壁、５５，５５Ｂ…嵌合部、５６…係合凹所、４０，４０Ａ，４０Ｂ…同調部材用付勢手段、４０ａ…可動プロック、４０ｂ…ばね、４１…係合保持部材、４８…可動ストッパ用内装ばね、４９…ラッチ支持座、５０…解錠用ハンドル、５１…揺動片、５１ａ…外端部、５１ｂ…内端部、５２…ハンドル支持座、５３…縦軸、ＵＮ…取付け座ユニット、６０…固着具、６１…規制片、６２…取付けビス孔、６３…角軸孔。
【図１】
2004225384.tif 000003
【図２】
2004225384.tif 000004
【図３】
2004225384.tif 000005
【図４】
2004225384.tif 000006
【図５】
2004225384.tif 000007
【図６】
2004225384.tif 000008
【図７】
2004225384.tif 000009
【図８】
2004225384.tif 000010
【図９】
2004225384.tif 000011
【図１０】
2004225384.tif 000012
【図１１】
2004225384.tif 000013
【図１２】
2004225384.tif 000014
【図１３】
2004225384.tif 000015
【図１４】
2004225384.tif 000016
【図１５】
2004225384.tif 000017
【図１６】
2004225384.tif 000018
【図１７】
2004225384.tif 000019
【図１８】
2004225384.tif 000020
【図１９】
2004225384.tif 000021
【図２０】
2004225384.tif 000022
【図２１】
2004225384.tif 000023